(57)【要約】      （修正有）【課題】サインポール本体を容易に分離、取り付け施工ができ、かつ、再利用可能なサインポール構造を提供する。【解決手段】ａサインポールの立設予定地点にセメント系地盤改良剤を土壌に混ぜて形成されたベース地盤部と、ｂ所定間隔を置いて設けられた一対の横枠部１６と該横枠部の中央部を互いに接続するように設けられた縦枠部１８とを有する基枠部１５と、該一対の横枠部の相対向する端部１６ｂ，１６ｃを接続するように設けられる一対の振れ止め材２０と、を含み、前記ベース地盤部上に設置されるベース枠体１４と、ｃ前記一対の横枠部のそれぞれの中央部上面に設けられた一対の柱受け部３０と、ｄ前記柱受け部のそれぞれに下端部が着脱可能に取り付けられる一対の支柱を有するサインポール本体と、を含むようにした。【選択図】図１
0003156169.tif 000002
【実用新案登録請求の範囲】
【請求項１】
（ａ）サインポールの立設予定地点にセメント系地盤改良剤を土壌に混ぜて形成されたベース地盤部と、
（ｂ）所定間隔を置いて設けられた一対の横枠部と該横枠部の中央部を互いに接続するように設けられた縦枠部とを有する基枠部と、該一対の横枠部の相対向する端部を接続するように設けられる一対の振れ止め材と、を含み、前記ベース地盤部上に設置されるベース枠体と、
（ｃ）前記一対の横枠部のそれぞれの中央部上面に設けられた一対の柱受け部と、
（ｄ）前記柱受け部のそれぞれに下端部が着脱可能に取り付けられる一対の支柱を有するサインポール本体と、
を含み、
前記柱受け部の上部がコンクリート床面から上方に突出するようにコンクリートを投入してベース枠体を埋設固定してコンクリート床を形成し、
前記柱受け部のそれぞれにサインポール本体の支柱を着脱可能に取付け、
前記サインポール本体が移設可能に設置されることを特徴とするサインポール構造。
【請求項２】
前記基枠部及び振れ止め材がＨ型鋼によって形成され、当該Ｈ型鋼が鉄筋金網及びパンチングフォームによって包囲されていることを特徴とする請求項１記載のサインポール構造。
【考案の詳細な説明】
【技術分野】
【０００１】
本考案は、ガソリンスタンドにおいてガソリン価格や会社名等を表示するために設置されているサインポールを簡単に移設可能に取り付けることができるようにした新規なサインポール構造に関する。
【背景技術】
【０００２】
従来、ガソリンスタンドを設置するにあたっては、基礎に柱を固設した後、該固設した柱に梁を取り付け、該梁に屋根部を取付けることでキャノピー（ガソリンスタンド屋根）を構築していた。しかし、キャノピーと呼ばれる屋根部などを構築するにあたっては、材料費、工事費用や作業代などから、多額の設備投資が必要であり、また、工事も大がかりなものとなるため、工期も比較的長くならざるをえなかった。
【０００３】
キャノピーなどの施工方法として、例えば、本願出願人らは、工期短縮などを目的として、キャノピーなどの建物上屋の施工方法（特許文献１）を提案し好評を得ている。また、例えば、屋根部への給油関連設備の設置が安全かつ経済的に実施できるキャノピーの構築方法（特許文献２）が提案されている。
【０００４】
これらいずれの従来技術も、キャノピーを一度施工してしまうと、該キャノピーを施工したガソリンスタンドが閉店したとしても、そのまま廃棄処分としていた。特に、近年では、環境への配慮のため、すべての廃材を分類して廃棄しないといけないため、解体作業が大変であり、解体費用が従来の少なくとも３倍程かかるようになってきているという問題もあった。このため、本願出願人は、容易に組立施工ができるのみならず、移設して再利用することが可能なガソリンスタンド用キャノピー構造についての提案も行った（特許文献３）。
【０００５】
さらに、最近は、スーパーマーケット等の商業施設に隣接してガソリンスタンドが設置される例が増加しているが、景気の変動等によってスーパーマーケット等の商業施設が廃止されることも多くなり、特に鉄材料等の材料費が高騰しているため、床面に固定される基台部分を除いて、支持柱、梁部材、屋根部材等の部材を全て再利用することが要望されてきている。
【０００６】
本願出願人は、上記したガソリンスタンド等におけるキャノピー構造についてのさらなる改良を続け、上記した問題を解決すべく、容易に分解可能でかつ組立施工ができるのみならず、床面に固定される基台部分を除いて、支持柱、梁部材、屋根部材等の部材を全て再利用することが可能であり、特にガソリンスタンドにおいて好適に用いられるキャノピー構造についても提案している（特許文献４）。
【０００７】
一方、図６及び図７に示すように、ガソリンスタンドにはサインポールと呼ばれる長尺の表示板装置５０が設置されているのが通常である。該サインポール５０は一対の長尺の支持柱５１，５１と該支持柱５１，５１を横架するように取り付けられた板材５３にガソリンの価格Ｐや石油会社の名称Ｎや会社マークＭを示すように構成されている。Ｆはガソリンスタンドのコンクリート床面である。このサインポール５０はそれ自体は軽量であるものの、長尺であるために強風の際にはかなりの横向きの力が加わるために鋼管杭５２を打ち込む等の手段を講じて基礎構造５４を強固にし、その基礎構造５４を利用して長尺のサインポール５０を立設するのが従来のサインポール５０の設置構造であった。
【０００８】
上述したように、最近はガソリンスタンドの廃止が従来に比べて頻繁に行われる関係上、サインポールについても簡単に撤去移設できる構造が望まれている。また同時に場合によっては基礎構造についても撤去を要請される場合があるために、例えば鋼管杭を地盤に打ち込んで基礎構造を作った場合には鋼管杭を引き抜くことはほとんど不可能であり、鋼管杭を使用しない基礎構造の出現が待たれていた。
【特許文献１】特許２８１８７２９号
【特許文献２】特開平９−２５６４７４
【特許文献３】実用新案登録第３１３０９０８号
【特許文献４】実用新案登録第３１４４４５８号
【考案の概要】
【考案が解決しようとする課題】
【０００９】
本願考案者は、上記した従来技術の問題点に鑑み、サインポールの構造についての研究開発を進め、サインポール自体の重量はそれほど重いものではないので、基礎構造を工夫して、コストと手間のかかる鋼管杭の打ち込みを省略することのできる基礎構造の実現が可能ではないかと考えるとともに、簡単に撤去移設可能なサインポールの構造についての工夫を重ねて本考案のサインポール構造を完成したものである。
【００１０】
本考案は、サインポール本体を容易に分離できかつ取り付け施工ができるのみならず、床面に固定される基台部分を除いて、サインポール本体を再利用することが可能なサインポール構造を提供することを目的とする。
【課題を解決するための手段】
【００１１】
上記の目的を達成する為に、本考案のサインポール構造は、（ａ）サインポールの立設予定地点にセメント系地盤改良剤を土壌に混ぜて形成されたベース地盤部と、
（ｂ）所定間隔を置いて設けられた一対の横枠部と該横枠部の中央部を互いに接続するように設けられた縦枠部とを有する基枠部と、該一対の横枠部の相対向する端部を接続するように設けられる一対の振れ止め材と、を含み、前記ベース地盤部上に設置されるベース枠体と、
（ｃ）前記一対の横枠部のそれぞれの中央部上面に設けられた一対の柱受け部と、
（ｄ）前記柱受け部のそれぞれに下端部が着脱可能に取り付けられる一対の支柱を有するサインポール本体と、
を含み、
前記柱受け部の上部がコンクリート床面から上方に突出するようにコンクリートを投入してベース枠体を埋設固定してコンクリート床を形成し、
前記柱受け部のそれぞれにサインポール本体の支柱を着脱可能に取付け、
前記サインポール本体が移設可能に設置されることを特徴とする。
【００１２】
前記基枠部及び振れ止め材がＨ型鋼によって形成され、当該Ｈ型鋼が鉄筋金網及びパンチングフォームによって包囲されているのが好適である。
【００１３】
このように構成することで、従来は、ガソリンスタンドが営業を廃止して、ガソリンスタンドのサインポールが不要となると、従来はサインポール構造をそのまま廃棄処分とするか、高い費用をかけて切断等によって解体して廃棄していたが、床面に固定される基台部分を除いて、サインポールの主たる材料である、サインポール本体を取り外して別の新たなガソリンスタンドなどへ移設して再利用することができ、材料費の節減を図ることができ、かつ古いガソリンスタンドには基台部分だけが残されるもので、ガソリンスタンドの跡地の利用にも好都合であるという利点がある。
【考案の効果】
【００１４】
本考案のサインポール構造によれば、サインポール本体を容易に分離できかつ取り付け施工ができるのみならず、床面に固定される基台部分を除いて、サインポール本体を再利用することが可能であるという著大な効果が達成される。
【００１５】
また、従来は、サインポール構造のサインポール本体部分も廃棄処分としていたものが、サインポール本体を移設して再利用可能であり、廃棄する必要がなくなるため、原料費及び材料費を大幅に削減できるものである。
【図面の簡単な説明】
【００１６】
【図１】本考案に係るサインポール構造の基礎部分の一つの実施の形態を示す上面概略説明図である。
【図２】図１のII−II線矢視断面図である。
【図３】本考案に係るサインポール構造の基礎部分の一つの実施の形態の正面的断面説明図である。
【図４】本考案に係るサインポール構造の基礎部分の一つの実施の形態の側面的断面説明図である。
【図５】図４のＶ−Ｖ線矢視断面図である。
【図６】従来のサインポールの一例を示す正面説明図である。
【図７】従来のサインポールの一例を示す側面説明図である。
【考案を実施するための形態】
【００１７】
以下に本考案の実施の形態を添付図面に基づいて説明するが、本考案の技術思想から逸脱しない限りこれらの実施の形態について種々の変更又は変形が可能なことは言うまでもない。
【００１８】
本考案に係るサインポール構造の一つの実施の形態を添付図面中図１〜図５に基づいて説明する。図１〜図４において、１０は本考案に係るサインポール構造である。
【００１９】
本考案のサインポール構造１０は、図１〜図４に示される如く、サインポールの立設予定地点にセメント系地盤改良剤を土壌に混ぜて形成されたベース地盤部１２を有している。該ベース地盤部１２上にはベース枠体１４が設置される。該ベース枠体１４は基枠部１５を有し、該基枠部１５は所定間隔を置いて設けられた一対の横枠部１６，１６を有している。１８は縦枠部で該横枠部１６，１６の中央部１６ａ,１６ａを互いに接続するように設けられている。該一対の横枠部１６，１６の相対向する端部１６ｂ、１６ｂ及び１６ｃ、１６ｃは一対の振れ止め材２０，２０によって接続され、その振れが抑止されるようになっている。
【００２０】
前記横枠部１６，１６及び縦枠部１８の具体的な構造については特別な限定はないが、図示例では横枠部１６と該横枠部１６の中央部に設けられた短尺縦枠部１８ａとからなるＴ型枠材２２を２個用意し、一対のＴ型枠材２２の短尺縦枠部１８ａの端部を連結部材２４を介して連結する構造とするのが好適である。
【００２１】
前記横枠部１６及び縦枠部１８からなる基枠部１５及び振れ止め材２０は、図２に示されるようにＨ型鋼で形成され、かつ該Ｈ型鋼の周囲には鉄筋金網２６が包囲するように設けられ、さらに該鉄筋金網２６の周囲にはパンチングフォーム２８が包囲するように設けられている。
【００２２】
３０，３０は一対の柱受け部で、前記一対の横枠部１６，１６のそれぞれの中央部１６ａ,１６ａの上面に設けられている。該一対の柱受け部３０，３０は、図３及び図４に示されるように、その上部３０ａ，３０ａがコンクリート床面Ｆの上方に突出するように設置されている。
【００２３】
前記柱受け部３０，３０の上端取付部３０ｂ、３０ｂには、サインポール構造１０を構成するサインポール本体１０Ａの一対の支柱１１，１１の下端取付部１１ｂ、１１ｂがボルト等の取付具によって着脱可能に取り付けられる。該サインポール本体１０Ａは、図６及び図７に示したサインポール５０の上部部分と同様の形状であるので、サインポール本体１０Ａの上部部分の図示は省略してある。
【００２４】
上記のような構成を採用することによって、前記柱受け部３０，３０の上部３０ａ,３０ａがコンクリート床面Ｆから上方に突出するようにコンクリートを投入してベース枠体１４を埋設固定してコンクリート床を形成し、前記柱受け部３０，３０のそれぞれにサインポール本体１０Ａの支柱１１，１１を着脱可能に取付けることによって、従来のサインポール５０と同様の構造の本考案のサインポール構造１０を立設することができる。本考案のサインポール構造１０においては、サインポール本体１０Ａが柱受け部３０，３０から取り外し可能となっているので、ガソリンスタンドの廃止や移設の際には、サインポール本体１０Ａのみを簡単な作業で取り外すことができ、簡単に移動乃至移設することができるという利点がある。また、本考案のサインポール構造においては、所定の構造のベース地盤部を設置しかつ特定の形状のベース枠体を採用することによって、ガソリンスタンドに強風が吹きつけた場合であっても倒壊することのない充分な強度を有する基礎構造とすることができるので、従来のサインポールの基礎構造には必須とされていた鋼管杭の使用を省略することができ、建築コストの低減が図れる上に、移設の際のコストや手間も軽減することができるものである。
【００２５】
上記のような構成を採用することによって、サインポール構造１０が取り外し可能かつ移設可能に構成される。つまり、サインポール本体１０Ａは分解可能であり、他のガソリンスタンドに移設可能である。ベース枠体１４は床面に固定設置されているため、分解及び移設は不可能であり、解体して廃棄処分されることとなるが、従来の構造における鋼管杭が存在しないためにその解体作業もはるかに軽減される。
【００２６】
以上のように、本考案のサインポール構造は、上記のように構成されているので、ボルト等の締付具さえ外せば簡単に分解でき、ベース枠体を除いてサインポール本体を容易に持ち運ぶことが可能となるので、材料費の節約になり、廃棄処分の手間が省けるという利点がある。
【符号の説明】
【００２７】
１０：本考案のサインポール構造、１０Ａ：サインポール本体、１１：支柱、１１ｂ：下端取付部、１２：ベース地盤部、１４：ベース枠体、１５：基枠部、１６：横枠部、１６ａ：中央部、１６ｂ,１６ｃ：端部、１８：縦枠部、１８ａ：短尺縦枠部、２０：振れ止め材、２２：Ｔ型枠材、２４：連結部材、２６：鉄筋金網、２８：パンチングフォーム、３０：柱受け部、３０ａ：上部、３０ｂ：上端取付部、５０：従来のサインポール，表示板装置、５１：支持柱、５２：鋼管杭、５３：板材、５４：基礎構造、Ｆ：コンクリート床面、Ｍ：会社マーク、Ｎ：名称、Ｐ：価格。
【図１】
0003156169.tif 000003
【図２】
0003156169.tif 000004
【図３】
0003156169.tif 000005
【図４】
0003156169.tif 000006
【図５】
0003156169.tif 000007
【図６】
0003156169.tif 000008
【図７】
0003156169.tif 000009